(57)【要約】【課題】  原稿の連続読取時に、ＡＦＥが温度上昇するのを抑制することにより、ＡＦＥ自体又はＡＦＥ周囲の電子部品が損傷するのを抑制することができる原稿読取装置を提供する。【解決手段】  複数枚の原稿を収容する原稿収容部と、原稿からの反射光を受光してアナログ画像信号を生成する撮像素子と、アナログ画像信号を増幅する増幅回路、及び、増幅されたアナログ画像信号をデジタル画像信号に変換する変換回路を含み、増幅回路及び変換回路に対する電力供給を遮断するパワーダウンモードを有するＡＦＥと、原稿収容部内の原稿を１枚ずつ取り出し、一定の間隔で撮像素子による読取位置に搬送する原稿搬送部と、搬送中の原稿を検出する原稿検出部と、原稿検出部による検出結果に基づいて、先行する原稿の後端が読取位置を通過してから後行する原稿の前端が読取位置を通過するまでの間、パワーダウンモードをオンするＡＦＥ制御部により構成される。【選択図】  図５
2011254167.tif 000002
【特許請求の範囲】
【請求項１】
２枚以上の原稿を収容する原稿収容部と、
原稿からの反射光を受光してアナログ画像信号を生成する撮像素子と、
上記アナログ画像信号を増幅する増幅回路、及び、上記増幅回路により増幅されたアナログ画像信号をデジタル画像信号に変換する変換回路を含み、上記増幅回路及び上記変換回路に対する電力供給を遮断するパワーダウンモードを有するアナログフロントエンドと、
上記原稿収容部内の原稿を１枚ずつ取り出し、一定の間隔で上記撮像素子による読取位置に搬送する原稿搬送部と、
上記原稿搬送部により搬送中の原稿を検出する原稿検出部と、
上記原稿検出部による検出結果に基づいて、先行する原稿の後端が上記読取位置を通過してから後行する原稿の前端が上記読取位置を通過するまでの間、上記パワーダウンモードをオンするＡＦＥ制御部とを備えたことを特徴とする原稿読取装置。
【請求項２】
上記ＡＦＥ制御部は、上記原稿搬送部による原稿の搬送速度に基づいて遅延時間を推定し、上記原稿検出部が先行する原稿の後端を検出したときから上記遅延時間の経過後に、上記パワーダウンモードをオンすることを特徴とする請求項１に記載の原稿読取装置。
【請求項３】
上記撮像素子は、原稿の第１面を読み取るための第１素子と、当該原稿の第２面を読み取るための第２素子とからなり、
上記アナログフロントエンドは、第１素子からの上記アナログ画像信号を処理するための第１素子用アナログフロントエンドと、第２素子からの上記アナログ画像信号を処理するための第２素子用アナログフロントエンドとからなり、
上記ＡＦＥ制御部は、第１素子用アナログフロントエンド及び第２素子用アナログフロントエンドに対し、上記原稿検出部による検出結果に基づいて、上記パワーダウンモードをオンすることを特徴とする請求項２に記載の原稿読取装置。
【発明の詳細な説明】
【技術分野】
【０００１】
本発明は、原稿読取装置に係り、さらに詳しくは、撮像素子からのアナログ画像信号を増幅し、デジタル画像信号に変換するアナログフロントエンドを備えた原稿読取装置の改良に関する。
【背景技術】
【０００２】
スキャナ、ファクシミリ装置、複合機などの読取装置では、ラインイメージセンサを用いて原稿が光学的に読み取られる。ラインイメージセンサは、原稿からの反射光を受光してアナログ画像信号を生成する撮像素子である。上述した様な原稿読取装置では、アナログ画像信号を増幅し、デジタル画像信号に変換するのにアナログフロントエンド（ＡＦＥ）が用いられる。ＡＦＥは、ラインイメージセンサからのアナログ画像信号を増幅する増幅回路、増幅回路により増幅されたアナログ画像信号をデジタル画像信号に変換する変換回路などを含む回路ユニットであり、消費電力が大きく、発熱により温度上昇し易い。そこで、省エネモードへの切替スイッチのオン又はオフにより、ＡＦＥに対する電力供給を遮断する技術が提案されている（例えば、特許文献１）。
【０００３】
しかしながら、ＡＤＦ（Automatic Document Feeder：自動原稿給送装置）を用いて複数の原稿を連続して読み取る場合、ＡＦＥの連続動作によりＡＦＥの温度が上昇し、このため、ＡＦＥ自体又はＡＦＥ周囲の電子部品を損傷し、或いは、寿命を低下させてしまうという問題があった。そこで、冷却ファンを用いてＡＦＥを強制的に冷却することが考えられる。しかし、ＡＦＥが実装されるスキャナ基板は、筐体内に配置されることが多く、埃の侵入を防止するために、密閉構造とされるので、筐体内への外気の導入が難しく、冷却ファンによる強制冷却は困難であった。
【先行技術文献】
【特許文献】
【０００４】
【特許文献１】特開２００８−１３５８３２号公報
【発明の概要】
【発明が解決しようとする課題】
【０００５】
本発明は、上記事情に鑑みてなされたものであり、原稿の連続読取時に、ＡＦＥが温度上昇するのを抑制することにより、ＡＦＥ自体又はＡＦＥ周囲の電子部品が損傷し、或いは、寿命が低下するのを抑制することができる原稿読取装置を提供することを目的とする。
【課題を解決するための手段】
【０００６】
第１の本発明による原稿読取装置は、２枚以上の原稿を収容する原稿収容部と、原稿からの反射光を受光してアナログ画像信号を生成する撮像素子と、上記アナログ画像信号を増幅する増幅回路、及び、上記増幅回路により増幅されたアナログ画像信号をデジタル画像信号に変換する変換回路を含み、上記増幅回路及び上記変換回路に対する電力供給を遮断するパワーダウンモードを有するアナログフロントエンドと、上記原稿収容部内の原稿を１枚ずつ取り出し、一定の間隔で上記撮像素子による読取位置に搬送する原稿搬送部と、上記原稿搬送部により搬送中の原稿を検出する原稿検出部と、上記原稿検出部による検出結果に基づいて、先行する原稿の後端が上記読取位置を通過してから後行する原稿の前端が上記読取位置を通過するまでの間、上記パワーダウンモードをオンするＡＦＥ制御部とを備えて構成される。
【０００７】
この原稿読取装置では、搬送中の原稿を検出して、先行する原稿の後端が読取位置を通過してから後行する原稿の前端が読取位置を通過するまでの間、アナログフロントエンド（ＡＦＥ）のパワーダウンモードがオンされる。この様な構成によれば、原稿の連続読取時にＡＦＥが発熱により温度上昇するのを抑制することができるので、ＡＦＥ自体又はＡＦＥ周囲の電子部品が損傷し、或いは、寿命が低下するのを抑制することができる。
【０００８】
第２の本発明による原稿読取装置は、上記構成に加え、上記ＡＦＥ制御部が、上記原稿搬送部による原稿の搬送速度に基づいて遅延時間を推定し、上記原稿検出部が先行する原稿の後端を検出したときから上記遅延時間の経過後に、上記パワーダウンモードをオンするように構成される。この様な構成によれば、遅延時間を推定してパワーダウンモードをオンするので、先行する原稿の後端が読取位置を通過するタイミングでＡＦＥをパワーダウンさせることができる。
【０００９】
第３の本発明による原稿読取装置は、上記構成に加え、上記撮像素子が、原稿の第１面を読み取るための第１素子と、当該原稿の第２面を読み取るための第２素子とからなり、上記アナログフロントエンドが、第１素子からの上記アナログ画像信号を処理するための第１素子用アナログフロントエンドと、第２素子からの上記アナログ画像信号を処理するための第２素子用アナログフロントエンドとからなり、上記ＡＦＥ制御部が、第１素子用アナログフロントエンド及び第２素子用アナログフロントエンドに対し、上記原稿検出部による検出結果に基づいて、上記パワーダウンモードをオンするように構成される。
【００１０】
この様な構成によれば、先行する原稿の後端が第１素子による読取位置及び第２素子による読取位置をそれぞれ通過するタイミングで第１素子用ＡＦＥ及び第２素子用ＡＦＥをパワーダウンさせることができる。
【発明の効果】
【００１１】
本発明による原稿読取装置によれば、原稿の連続読取時に、ＡＦＥが発熱により温度上昇するのを抑制することができるので、ＡＦＥ自体又はＡＦＥ周囲の電子部品が損傷し、或いは、寿命が低下するのを効果的に抑制することができる。
【図面の簡単な説明】
【００１２】
【図１】本発明の実施の形態による原稿読取装置の一構成例を示した斜視図であり、原稿読取装置の一例としてＭＦＰ１００が示されている。
【図２】図１のＭＦＰ１００におけるＡＤＦ部１０の構成例を模式的に示した説明図であり、ＡＤＦ部１０の垂直断面が示されている。
【図３】図１のＭＦＰ１００の構成例を示したブロック図であり、ＭＦＰ１００内の機能構成の一例が示されている。
【図４】図３のＭＦＰ１００におけるＡＦＥ１１１の構成例を示したブロック図である。
【図５】図１のＭＦＰ１００における原稿の連続読取時の動作の一例を模式的に示した説明図である。
【図６】図３のＭＦＰ１００におけるＣＰＵ１４１内のＡＦＥ制御部１４６の構成例を示したブロック図である。
【図７】図３のＭＦＰ１００における連続読取時の動作の一例を示したタイミングチャートである。
【発明を実施するための形態】
【００１３】
＜ＭＦＰ＞
図１は、本発明の実施の形態による原稿読取装置の一構成例を示した斜視図であり、原稿読取装置の一例としてＭＦＰ１００が示されている。ＭＦＰ（Multifunction Peripheral：複合機）１００は、スキャナ機能、プリンタ機能、ＦＡＸ（ファクシミリ）機能、複写機能を有し、これらの機能を選択的に実行させることができる画像処理装置である。このＭＦＰ１００は、ＡＤＦ部１０、操作パネル１３、手差しトレイ１、記録紙収容部２，３及び記録紙用の排紙トレイ４を備え、原稿から読み取った読取画像を所定の印刷設定に基づいて記録紙に印刷することができる。
【００１４】
ＡＤＦ部１０は、ＡＤＦ及びプラテンカバーからなり、プラテンカバー上に原稿用の給紙トレイ１１及び排紙トレイ１２が設けられている。ＡＤＦ部１０では、給紙トレイ１１内に収容された原稿を１枚ずつ取り出し、一定の間隔で読取位置に搬送し、読み取り後の原稿を排紙トレイ１２内に排出する動作が行われる。
【００１５】
給紙トレイ１１は、複数枚の原稿を収容するための原稿収容部であり、読み取り前の原稿が収容される。一方、排紙トレイ１２は、読み取り後の原稿を収容するための収容部であり、給紙トレイ１１の下側に配置されている。
【００１６】
プラテンカバーは、透明ガラスからなる原稿載置台の上にセットされた原稿を押えるためのカバーである。手差しトレイ１、記録紙収容部２，３は、印刷前の記録紙を収容するための収容部であり、排紙トレイ４は、印刷後の記録紙を収容するための収容部である。
【００１７】
操作パネル１３には、ディスプレイ、スタートキー、ストップキー、数字キー、電源スイッチ、機能選択キーなどが設けられている。スキャナ機能、複写機能などが選択されている場合における原稿読取には、ＡＤＦを用いて読み取るＡＤＦ読取と、原稿載置台を用いるＦＢＳ（フラットベッドスキャナ）読取がある。ＡＤＦ読取は、原稿を搬送しながら読み取りが行われるのに対し、ＦＢＳ読取は、読取装置を移動させることにより、原稿載置台上に載置された原稿が静止状態で読み取られる。
【００１８】
＜ＡＤＦ部＞
図２は、図１のＭＦＰ１００におけるＡＤＦ部１０の構成例を模式的に示した説明図であり、ＡＤＦ部１０の垂直断面が示されている。給紙トレイ１１内の原稿５は、ピックアップローラ２１及び給紙ローラ２２により１枚ずつ搬送路２３に取り出され、一定の間隔で搬送される。
【００１９】
搬送路２３には、送給ローラ２４〜２６、排紙ローラ２７が配置され、原稿５は、これらのローラにより搬送され、排紙ローラ２７を経て排紙トレイ１２内に排出される。このＡＤＦ部１０は、１回の搬送で原稿５の両面を読み取ることが可能なＡＤＦであり、搬送路２３の上流側に表面読取用のスキャナユニット２８が配置され、下流側に裏面読取用のスキャナユニット２９が配置されている。
【００２０】
スキャナユニット２８は、原稿載置台３０の下側に配置され、光源装置３１、ミラー及びラインイメージセンサ３２により構成される。このスキャナユニット２８により、コンタクトガラス３３の上面に沿って搬送される原稿５の表面が読み取られる。
【００２１】
一方、スキャナユニット２９は、ＡＤＦ部１０内に配置され、光源装置３１、ミラー及びラインイメージセンサ３２により構成される。このスキャナユニット２９により、コンタクトガラス３４の下面に沿って搬送される原稿５の裏面が読み取られる。なお、原稿５の表面とは、原稿５を給紙トレイ１１に載置したときに上側になる面のことであり、原稿５の裏面とは、下側になる面のことである。
【００２２】
スキャナユニット２８による読取位置は、送給ローラ２５及び２６間に位置し、スキャナユニット２９による読取位置は、送給ローラ２６及び排紙ローラ２７間に位置している。ドキュメントセンサ４１〜４３は、搬送路２３を搬送中の原稿５を検出するためのセンサであり、搬送路２３上の異なる位置に配置されている。
【００２３】
ドキュメントセンサ４１は、搬送路２３の最も上流側に配置されている。この例では、給紙ローラ２２及び送給ローラ２４間にドキュメントセンサ４１が配置されている。ドキュメントセンサ４２は、スキャナユニット２８の読取位置よりも上流側であって、ドキュメントセンサ４１よりも下流側に配置されている。この例では、送給ローラ２４及び２５間にドキュメントセンサ４２が配置されている。
【００２４】
ドキュメントセンサ４３は、スキャナユニット２９の読取位置よりも上流側であって、スキャナユニット２８の読取位置よりも下流側に配置されている。この例では、スキャナユニット２８及び送給ローラ２６間にドキュメントセンサ４３が配置されている。ドキュメントセンサ４１〜４３としては、光学式センサ、例えば、ＬＥＤ（発光ダイオード）からなる投光部と、フォトダイオードからなる受光部により構成されるセンサが用いられる。
【００２５】
ドキュメントセンサ４１〜４３では、紙が存在しない状態から存在する状態への遷移時に所定のオン割込信号が出力され、紙が存在する状態から存在しない状態への遷移時にオフ割込信号が出力される。
【００２６】
図３は、図１のＭＦＰ１００の構成例を示したブロック図であり、ＭＦＰ１００内の機能構成の一例が示されている。このＭＦＰ１００は、ドキュメントセンサ４１〜４３、ラインイメージセンサ３２、表面読取処理部１１０、裏面読取処理部１２０、統合処理部１３０、ＳＤＲＡＭ１３１、プリンタ１３２、ＣＰＵ１４１、モデム１４２、ＮＣＵ１４３、フラッシュＲＯＭ１４４、ＳＲＡＭ１４５及び操作パネル１３により構成される。
【００２７】
ドキュメントセンサ４１〜４３は、搬送路２３を搬送中の原稿５を検出し、所定の割込信号を統合処理部１３０へ出力する。表面読取用及び裏面読取用のラインイメージセンサ３２は、いずれも直線上に配置された多数の受光素子からなる撮像素子であり、原稿からの反射光を受光してアナログ画像信号を生成する。ラインイメージセンサ３２としては、例えば、ＣＣＤ（電荷結合素子）からなるイメージセンサが用いられる。
【００２８】
表面読取処理部１１０は、ＡＦＥ１１１及び画像処理部１１３からなり、表面読取用のラインイメージセンサ３２からのアナログ画像信号を処理する。裏面読取処理部１２０は、ＡＦＥ１１１及び画像処理部１１３からなり、裏面読取用のラインイメージセンサ３２からのアナログ画像信号を処理する。
【００２９】
ＡＦＥ１１１は、ラインイメージセンサ３２からのアナログ画像信号を増幅する増幅回路と、増幅回路により増幅されたアナログ画像信号をデジタル画像信号に変換する変換回路とを少なくとも含む回路ユニットである。このＡＦＥ１１１は、パワーダウン用レジスタ１１２を備え、パワーダウン用レジスタ１１２を書き換えることにより、上記増幅回路及び変換回路に対する電力供給を遮断するパワーダウンモードをオンすることができる。パワーダウン用レジスタ１１２は、ＣＰＵ１４１内のＡＦＥ制御部１４６により書き換えられる。
【００３０】
画像処理部１１３は、ＡＦＥ１１１からのデジタル画像信号に対し、シェーディング補正、ガンマ補正などの画像処理を行う画像処理ユニットである。シェーディング補正は、撮像素子、光学系に起因する濃度ムラを除去するための画像処理であり、ガンマ補正は、出力デバイスに応じて各色の輝度レベルを調整する画像処理である。
【００３１】
統合処理部１３０は、表面読取処理部１１０及び裏面読取処理部１２０からのデジタル画像信号が入力され、画像データを符号化してＳＤＲＡＭ１３１内に書き込み、或いは、ＳＤＲＡＭ１３１内に書き込んだ画像データを読み出して復号し、プリンタ１３２へ出力する。この統合処理部１３０は、バスを介して、ＣＰＵ１４１、モデム１４２、フラッシュＲＯＭ１４４、ＳＲＡＭ１４５及び操作パネル１３が接続されている。
【００３２】
＜ＡＦＥ＞
図４は、図３のＭＦＰ１００におけるＡＦＥ１１１の構成例を示したブロック図である。このＡＦＥ１１１は、パワーダウン用レジスタ１１２、ＯＢクランプ回路１５１、ＣＤＳ回路１５２、ＡＧＣ回路１５３、ＡＤＣ１５４及び電源回路１５５により構成され、各回路に対する電力供給を遮断するパワーダウンモードを有している。
【００３３】
ＯＢ（Optical Black）クランプ回路１５１は、ＯＢ部分の画像信号を利用して黒レベルをオフセットするための回路である。ＣＤＳ（相関２重サンプリング）回路１５２は、相関２重サンプリング法を利用してリセットノイズを除去するための回路であり、クランプパルスにより画像信号をサンプルホールドするサンプルホールド回路、差動アンプからなる。
【００３４】
ＡＧＣ（オートマチックゲインコントロール）回路１５３は、一定の出力が得られるようにゲインを自動調整する増幅回路である。ＡＤＣ（アナログデジタルコンバータ）１５４は、アナログ信号をデジタル信号に変換する変換回路である。
【００３５】
電源回路１５５は、パワーダウン用レジスタ１１２に保持されているビット情報に基づいて、ＯＢクランプ回路１５１、ＣＤＳ回路１５２、ＡＧＣ回路１５３及びＡＤＣ１５４に対する電力供給を遮断する。パワーダウン用レジスタ１１２は、ＡＦＥ制御部１４６からの書換信号に基づいてビット情報が書き換えられ、パワーダウンモードがオン又はオフされる。
【００３６】
＜原稿の連続読取＞
図５は、図１のＭＦＰ１００における原稿の連続読取時の動作の一例を模式的に示した説明図である。ＡＤＦ読取時には、給紙トレイ１１内の原稿５が１枚ずつ取り出され、順次に搬送される。ＭＦＰ１００では、ドキュメントセンサ４１〜４３からの割込信号に基づいて、先行する原稿５と後行する原稿５との紙間６、すなわち、先行する原稿５の後端と後行する原稿５の前端との間が検知される。そして、当該紙間６がスキャナユニット２８，２９の読取位置を通過する間、ＡＦＥ１１１をパワーダウンさせる動作が行われる。
【００３７】
具体的には、先行する原稿５の後端がスキャナユニット２８，２９による読取位置を通過したときから、後行する原稿５の前端が当該読取位置を通過するまでの間、ＡＦＥ１１１のパワーダウンモードがオンされる。そして、紙間６が読取位置を通過するごとに、パワーダウンモードがオンされる。
【００３８】
＜ＣＰＵ内のＡＦＥ制御部＞
図６は、図３のＭＦＰ１００におけるＣＰＵ１４１内のＡＦＥ制御部１４６の構成例を示したブロック図である。このＡＦＥ制御部１４６は、遅延時間推定部１０１及びパワーダウン用レジスタ書換部１０２からなり、ドキュメントセンサ４１〜４３からの割込信号に基づいて、ＡＦＥ１１１のパワーダウンモードをオンする。
【００３９】
具体的には、先行する原稿５の後端がスキャナユニットの読取位置を通過してから、後行する原稿５の前端が当該読取位置を通過するまでの間、パワーダウン用レジスタ１１２を書き換えることにより、ＡＦＥ１１１のパワーダウンモードをオンする。
【００４０】
遅延時間推定部１０１は、送給ローラ２４〜２６による原稿５の搬送速度情報と、ドキュメントセンサ４１〜４３及び読取位置間の距離とに基づいて、遅延時間Ｄを推定する。パワーダウン用レジスタ書換部１０２は、ドキュメントセンサ４１〜４３からの割込信号に基づいてパワーダウン用レジスタ１１２を書き換え、ドキュメントセンサ４１〜４３が先行する原稿５の後端を検出したときから遅延時間Ｄの経過後に、ＡＦＥ１１１のパワーダウンモードをオンする。
【００４１】
具体的には、ドキュメントセンサ４２が先行する原稿５の後端を検出したときから遅延時間Ｄ１１が経過した後に、表面読取処理部１１０内のＡＦＥ１１１がパワーダウンモードに切り替えられる。そして、ドキュメントセンサ４１が先行する原稿５の後端を検出したときから遅延時間Ｄ１２（Ｄ１２＞Ｄ１１）が経過した後に、表面読取処理部１１０内のＡＦＥ１１１のパワーダウンモードがオフされる。
【００４２】
一方、ドキュメントセンサ４３が先行する原稿５の後端を検出したときから遅延時間Ｄ２１が経過した後に、裏面読取処理部１２０内のＡＦＥ１１１がパワーダウンモードに切り替えられる。そして、ドキュメントセンサ４１が先行する原稿５の後端を検出したときから遅延時間Ｄ２２（Ｄ２２＞Ｄ２１）が経過した後に、裏面読取処理部１１０内のＡＦＥ１１１のパワーダウンモードがオフされる。
【００４３】
図７は、図３のＭＦＰ１００における連続読取時の動作の一例を示したタイミングチャートである。表面読取処理部１１０のＡＦＥ（ｆ）は、ＤＳ（ドキュメントセンサ）４２のオフ割込に基づいて、パワーダウンモードがオンされる。すなわち、ＤＳ４２が先行するｎページ目の原稿５の後端を検出したときから遅延時間Ｄ１１の経過後に、ＡＦＥ（ｆ）のパワーダウンモードがオンされる。そして、ＤＳ４１のオフ割込に基づいて、パワーダウンモードがオフされる。すなわち、ＤＳ４１が先行するｎページ目の原稿５の後端を検出したときから遅延時間Ｄ１２の経過後に、ＡＦＥ（ｆ）のパワーダウンモードがオフされる。
【００４４】
一方、裏面読取処理部１２０のＡＦＥ（ｒ）は、ＤＳ４３のオフ割込に基づいて、パワーダウンモードがオンされる。すなわち、ＤＳ４３が先行するｎページ目の原稿５の後端を検出したときから遅延時間Ｄ２１の経過後に、ＡＦＥ（ｒ）のパワーダウンモードがオンされる。そして、ＤＳ４１のオフ割込に基づいて、パワーダウンモードがオフされる。すなわち、ＤＳ４１が先行するｎページ目の原稿５の後端を検出したときから遅延時間Ｄ２２の経過後に、ＡＦＥ（ｒ）のパワーダウンモードがオフされる。
【００４５】
本実施の形態によれば、原稿５の連続読取時にＡＦＥ１１１が発熱により温度上昇するのを抑制することができるので、ＡＦＥ１１１自体又はＡＦＥ１１１周囲の電子部品が損傷し、或いは、寿命が低下するのを抑制することができる。また、紙間６がスキャナユニット２８，２９の読取位置を通過するごとに、ＡＦＥ１１１のパワーダウンモードがオンされ、ＡＦＥ１１１をパワーダウンさせるので、原稿５の連続読取時における電力消費量を低減させることもできる。特に、遅延時間を推定してＡＦＥ１１１のパワーダウンモードをオンするので、先行する原稿５の後端が読取位置を通過するタイミングでＡＦＥ１１１をパワーダウンさせることができる。
【００４６】
なお、本実施の形態では、１回の搬送で原稿５の両面を読み取ることが可能なＡＤＦを備えた原稿読取装置の例について説明したが、１回の搬送で原稿５の片面しか読み取ることができない原稿読取装置にも本発明は適用することができる。
【００４７】
また、本実施の形態では、ＤＳ４１のオフ割込に基づいて、ＡＦＥ１１１のパワーダウンモードが解除される場合の例について説明したが、本発明はこれに限られるものではない。例えば、ＤＳ４２又は４３のオン割込、すなわち、後行する（ｎ＋１）ページ目の原稿５の前端の検出に基づいて、ＡＦＥ１１１のパワーダウンモードをオフするような構成であっても良い。
【符号の説明】
【００４８】
１  手差しトレイ
２，３  記録紙収容部
４  記録紙用の排紙トレイ
５  原稿
６  紙間
１０  ＡＤＦ部
１１  原稿用の給紙トレイ
１２  原稿用の排紙トレイ
１３  操作パネル
２１  ピックアップローラ
２２  給紙ローラ
２３  搬送路
２４〜２６  送給ローラ
２７  排紙ローラ
２８  表面読取用のスキャナユニット
２９  裏面読取用のスキャナユニット
３０  原稿載置台
３１  光源装置
３２  ラインイメージセンサ
３３，３４  コンタクトガラス
４１〜４３  ドキュメントセンサ
１００  ＭＦＰ
１０１  遅延時間推定部
１０２  パワーダウン用レジスタ書換部
１１０  表面読取処理部
１１１  ＡＦＥ
１１２  パワーダウン用レジスタ
１１３  画像処理部
１２０  裏面読取処理部
１３０  統合処理部
１３１  ＳＤＲＡＭ
１３２  プリンタ
１４１  ＣＰＵ
１４６  ＡＦＥ制御部
１５１  ＯＢクランプ回路
１５２  ＣＤＳ回路
１５３  ＡＧＣ回路
１５４  ＡＤＣ
１５５  電源回路
【図１】
2011254167.tif 000003
【図２】
2011254167.tif 000004
【図３】
2011254167.tif 000005
【図４】
2011254167.tif 000006
【図５】
2011254167.tif 000007
【図６】
2011254167.tif 000008
【図７】
2011254167.tif 000009